(57)【要約】      （修正有）【課題】寝たきりの老人や病気等の要介護者が、仰向けの姿勢で入浴することが出来、浴槽内で身体が浮いて、滑り込む等の不安感をなくし、介護の労力も解消可能なスライド式入浴装置を提供する。【解決手段】主体となる二枚の板、洗浄台椅子部分と洗浄台背もたれ部分を連結して一枚の板とし、下部には移動用の車輪を取り付け、左右に動く洗浄台とする。さらに、その車輪を動かすレール部分として、移動車輪のレール兼はずれ防止カバーと、入浴台を組み合わせる。その後、洗浄台と入浴台を同時に椅子形式に角度をつけ、入浴台下部に取り付ける車輪と共に、浴槽内車輪誘導壁に沿って浴槽内に上下動させる。【選択図】図１６
0003172775.tif 000002
【実用新案登録請求の範囲】
【請求項１】
主体の洗浄台椅子部分（１イ）、洗浄台背もたれ部分（１ロ）となる二枚の板を連結（２）平らな一枚の板とし、下部に洗浄台移動車輪（６イー６ノ）を取り付け、台を操作するもち手（３イ、３ロ）を、洗浄台椅子部分に設け、台の上面に洗浄台保護板（７）を組み合わせ洗浄台［図４］とし、該洗浄台に対し底部に洗浄台移動車輪のレール部分（１２イー１２ロ）を設け、洗浄台を包み込む機能を有する移動車輪のレール兼はずれ防止カバー（１７イ、１７ロ）を入浴台椅子部分（１０イ）背もたれ部分（１０ロ）と組み合わせ、入浴台椅子部分には下部に取り付ける車輪（１４イ−１４ロ）を設けて、浴槽内を上下動をする際、浴槽内車輪誘導壁［図１２］を設置し、入浴台車輪レール（２６イー２６ニ）に沿って浴槽内を、上下動をする構成からなるスライド式入浴装置。
【請求項２】
洗浄台［図４］を移動車輪のレール兼はずれ防止カバー（１７イ、１７ロ）に滑りこませ、移動時入浴時の安全防止を目的に洗浄台はずれ防止部分（１１イ、１１ロ）を配したのを特徴とする請求項１記載のスライド式入浴装置。
【請求項３】
洗浄台、入浴台同時に角度をつける際、連結部分（２）である洗浄台椅子部分が洗浄台はずれ防止部分（１１イ、１１ロ）と触れるので、洗浄台椅子部分で角度調節一部カット（４イ、４ロ）を配したのを、特徴とする請求項１記載のスライド式入浴装置。
【請求項４】
背もたれ部分移動車輪のレール兼はずれ防止カバー（１７ロ）入浴台背もたれ部分（１０ロ）の肩から頭の位置下部に［図１５］で見るように浴槽の上部、でローラー（２１）が固定されており、このローラーを中心に入浴台を動かす手段として、ローラースライド部分（２０）を配したのを、特徴とする請求項１記載のスライド式入浴装置。
【請求項５】
［図１４］で見るように浴槽内に入浴台椅子部分を上下動する際、入浴台横転ねじれ防止板（１８イ、１８ロ）を設けたのを特徴とする請求項１記載のスライド式入浴装置。
【請求項６】
［図１７］で浴槽上に入浴台を持ち上げた後、台を安定、停止するための入浴台車輪固定位置（２５イー２５ニ）を設けたのを特徴とする請求項１記載のスライド式入浴装置。
【考案の詳細な説明】
【技術分野】
【０００１】本考案は、障害者、寝たきり高齢者に好適な介護用入浴装置に関するものである。
【背景技術】
【０００２】従来の浴槽に入浴するには、要介護者を寝かせたままで浴槽に出入りさせることは大変困難であり、入浴方法もクレーンのカートに乗る、また浴槽内でリフトを使用するなど、要介護者の入浴は体を起こしたり抱き上げたり、介護を受ける側にとっても苦痛を伴い、介護者の立場でも大変な労力と困難があり、また浴槽内に於いても要介護者の体が浮く、滑り込む回転するなどの危険性も考慮しなければならず、浴槽内での排泄などがあった場合の問題も、どのように対処できるのか問題点があった。
【先行技術文献】
【０００３】
【特許文献１】特開２００５−２４６０５０（Ｐ２００５−２４６０５０Ａ）
【特許文献２】特開２００５−２１７０５（Ｐ２００５−２１７０５Ａ）
【特許文献３】特開平１０−３０５０７５
【考案の概要】
【考案が解決しようとする課題】
【０００４】本考案は要介護者が横になったままで入浴することが出来、上記問題点を解決すると同時に介護人、要介護者ともに安全で容易に入浴可能とするものである。
【課題を解決するための手段】
【０００５】主体となる二枚の板、洗浄台椅子部分（１い）洗浄台背もたれ部分（１ろ）を連結一枚の板とし、下部には移動用の車輪を取り付け［図２］左右に動く洗浄台［図４］とするが、その車輪を動かすレール部分として、移動車輪のレール兼はずれ防止カバー［図６］と入浴台組み合わせた後、洗浄台入浴台を同時に椅子形式［図１１］に角度をつけ、入浴台下部に取り付ける車輪と共に、浴槽内車輪誘導壁［図１２］に沿って浴槽内［図１６］に上下動させる。
【考案の効果】
【０００６】本考案は記載するように構成することによって、要介護者に負担をかけずに、横になったまま浴槽に出入りできる装置で、浴槽への出入りは介護人にとっても最大の問題でもあり、負担も軽減し安全で容易に入浴できる装置である
【図面の簡単な説明】
【０００７】
【図１】洗浄台平面図。
【図２】洗浄台側面図。
【図３】洗浄台保護板。
【図４】洗浄台、保護板組み立て断面図。
【図５】入浴台、移動車輪レール兼はずれ防止カバー平面図。
【図６】移動車輪レール兼はずれ防止カバー斜図。
【図７】入浴台椅子部分、背もたれ部分側面図。
【図８】入浴台椅子部分、移動車輪レール兼はずれ防止カバー組み立て断面図。
【図９】入浴台椅子部分、移動車輪レール兼はずれ防止カバー洗浄台組み立て断面図。
【図１０】洗浄台、入浴台を組み立てた側面図。
【図１１】角度をつけた入浴台。
【図１２】浴槽内、車輪誘導壁側面図。
【図１３】浴槽内、車輪誘導壁平面図。
【図１４】浴槽内車輪誘導壁に沿って上下する、入浴台椅子部分断面図。
【図１５】入浴台背もたれ部分断面図。
【図１６】浴槽内、入浴台側面図。
【図１７】浴槽上の洗浄台側面図。
【考案を実施するための形態】
【０００８】主体となる二枚の板、長さ１０００ミリ椅子部分（１イ）背もたれ部分（１ロ）を椅子形式に角度をつけるため、連結部分（２）で接続し大人の身長２０００ミリの平らな一枚の板とする。
【０００９】板の下部には移動を目的とする車輪（６イー６ノ）を縦に１３個、二列取り付け、車輪を取り付けた台を移動する際、椅子部分のもち手（３イ、３ロ）を押したり引いたりし、台を浴槽内へ下ろす際はもち手を持ち、台を上下させる。
【００１０】［図３］洗浄台保護板（７）は移動車輪を取り付けた洗浄台［図２］を、覆うように上からもち手を（９イ、９ロ）に通し連結部分に合わせて台の上面に組み合わせ［図４］の洗浄台とする
【００１１】［図５］入浴台移動車輪レール兼はずれ防止カバーは、洗浄台を包み込む形で洗浄台より２０ミリ幅が広く、長さは同、［図６］移動車輪レール兼はずれ防止カバー斜図では、洗浄台と同じ長さ、同じ位置を連結部分（１３）で接続し、洗浄台移動車輪のレール部分（１２イー１２ニ）を設け、この部分を洗浄台移動車輪がスライドし、また洗浄台はずれ防止部分（１１）が上部に設けられる。
【００１２】［図７］入浴台椅子部分（１０イ）の上に移動車輪のレール兼はずれ防止カバー（１７イ）を組み立て、入浴台下部には車輪（１４イー１４ニ）を取り付ける。
【００１３】入浴台背もたれ部分（１０ロ）の上に、移動車輪のレール兼はずれ防止カバー（１７ロ）を組み立て、背もたれ部分、肩から頭の位置下部にローラースライド部分（２０）を、設けこの部分がローラー（２１）の上を、左右に移動し動きを滑らかにする。
【００１４】連結部分角度調節４５度カット（１５イー１５ロ）、連結部分角度調節３０度カットは（１６イー１６ロ）椅子形式にする際、移動車輪のレール兼はずれ防止カバー椅子部分（１７イ）移動車輪のレール兼はずれ防止カバー背もたれ部分（１７ロ）のカットをする事で角度を付けられる。
【００１５】［図９］は入浴台椅子部分（１０イ）の上に移動車輪レール兼はずれ防止カバー（１７イ）を取り付け後、中に洗浄台［図４］を組み込ませた断面図であるが、洗浄台保護板（７）と洗浄台椅子部分（１イ）の間両端に、洗浄台はずれ防止部分（１１イ、１１ロ）を設ける。
【００１６】入浴台左右に取り付けた車輪（１４イー１４ニ）は浴槽内に上下する際、使用し浴槽内で台が足先の方へ滑り込むのを防ぐ。
入浴台を浴槽内に上下する際、入浴台横転、ねじれ防止板（１８イ、１８ロ）を設ける。
【００１７】［図１１］角度をつけた入浴台の説明、浴槽の深さに応じて台に角度を付け、平らにもどす動作を繰り返し洗浄台、入浴台が互いに触れずに角度をつける位置を、椅子部分足先（２４）で洗浄台停止位置を決定し、移動車輪レール部分（１２イー１２ニ）に固定具をつける。
【００１８】連結部分角度調節４５度カット（１５イ、１５ロ）３０度カット（１６イー１６ロ）の両方より角度をつけるが、この時点で角度調節３０度カット位置の、洗浄台はずれ防止部分（１１イ、１１ロ）が洗浄台椅子部分に触れ角度が付かない、解決方法として洗浄台角度調節一部カット（４イ、４ロ）することで、組み合わせた台が滑らかに角度をつける。
【００１９】浴槽内車輪誘導壁［図１４］では浴槽（３０）の内側に保護壁（３１）を取り付け更に、その面に車輪誘導壁［図１２］を設け、誘導壁の一部には入浴台車輪レール（２６イー２６ニ）部分があり、レールに沿って入浴台下部に取り付けた車輪（１４イー１４ニ）が浴槽内を上下し、この車輪横に入浴台横転、ねじれ防止板（１８イ、１８ロ）を設けて台の安定を図る。
【００２０】［図１５］入浴台背もたれ部分断面図であるが、浴槽の外側に固定したローラー支柱（２２イ、２２ロ）とローラー（２１）からなる入浴台であり、入浴台背もたれ部分（１０ロ）と移動車輪のレール兼はずれ防止カバー（１７ロ）はローラー（２１）を基点とし［図１６］で示すように、入浴台椅子部分が浴槽内に上下する。
【００２１】浴槽内には、入浴台下部に取り付けた車輪（１４イー１４ニ）が、入浴台車輪レール（２６イー２６ニ）に沿って上下し、浴槽上では車輪固定位置（２５イー２５ニ）に入浴台下部に取り付けた車輪を入れ、台を固定、安定させる。［図１７］
【産業上の利用可能性】
【００２２】前に町内にあった銭湯のように、要介護者専用の入浴場を設け、その場に車椅子で行くか若しくは、ストレッチャーを乗せた送迎用車などで入浴場に着けば、介護者の手によって更衣室に移り、入浴状態で洗浄ストレッチャーに横たわり、洗い場に移動した上で、浴槽横の連結台に停止固定し、そのまま浴槽上に移動して入浴し、さらに浴槽上に戻り洗浄台に移った後身体洗浄、洗髪など済ませ上あがり湯に入り更衣室で着替えをし帰宅という場所、施設があって中には洗浄台と浴槽がセットされて何台もあれば、要介護者の入浴という希望が叶うし、介護者にとっても介護問題の７０パーセントは解消する。
【符号の説明】
【００２３】１イ、洗浄台椅子部分。
１ロ、洗浄台背もたれ部分。
２、  洗浄台連結部分。
３イ、３ロ  もち手。
４イ、４ロ  角度調節一部カット。
５、  洗浄台水抜き穴。
６イー６ノ  洗浄台移動車輪。
７、  洗浄台保護板。
８、  水抜き穴。
９イ、９ロ  もち手を通す穴。
１０イ、入浴台椅子部分。
１０ロ、入浴台背もたれ部分。
１１イ、１１ロ  洗浄台はずれ防止部分。
１２イー１２ニ  洗浄台移動車輪のレール部分。
１３、  連結部分。
１４イー１４ニ  入浴台下部に取り付ける車輪。
１５イー１５ロ  連結部分角度調節４５度カット。
１６イー１６ロ  連結部分角度調節３０度カット。
１７イ  椅子部分移動車輪のレール兼はずれ防止カバー
１７ロ  背もたれ部分移動車輪のレール兼はずれ防止カバー
１８イ、１８ロ  入浴台横転、ねじれ防止板
１９、洗浄台を滑り込ませる位置。
２０、ローラースライド部分
２１、ローラ
２２イ、２２ロ  ローラー支柱
２３、身体固定ベルト
２４、椅子部分足先
２５イー２５ニ  入浴台車輪固定位置
２６イー２６ニ  入浴台車輪レール
２７イ、２７ロ  浴槽内車輪誘導壁
２８イ、２８ロ  浴槽内車輪誘導壁
２９イ、２９ロ  浴槽内車輪誘導壁
３０、浴槽
３１イ、３１ロ  浴槽保護壁
３２、浴槽連結台
３３、水抜き穴
【図１】
0003172775.tif 000003
【図２】
0003172775.tif 000004
【図３】
0003172775.tif 000005
【図４】
0003172775.tif 000006
【図５】
0003172775.tif 000007
【図６】
0003172775.tif 000008
【図７】
0003172775.tif 000009
【図８】
0003172775.tif 000010
【図９】
0003172775.tif 000011
【図１０】
0003172775.tif 000012
【図１１】
0003172775.tif 000013
【図１２】
0003172775.tif 000014
【図１３】
0003172775.tif 000015
【図１４】
0003172775.tif 000016
【図１５】
0003172775.tif 000017
【図１６】
0003172775.tif 000018
【図１７】
0003172775.tif 000019
【手続補正書】
【提出日】平成23年10月13日(2011.10.13)
【手続補正１】
【補正対象書類名】実用新案登録請求の範囲
【補正対象項目名】全文
【補正方法】変更
【補正の内容】
【実用新案登録請求の範囲】
【請求項１】
主体と成る板  洗浄台椅子部分（１イ）と洗浄台背もたれ部分（１ロ）の２枚の板を洗浄台連結部分（２）で連結し平らな一枚の板とし、板の下部に移動を目的とする洗浄台移動車輪（６イ〜６ノ）を取り付け椅子部分上面両側に、もち手（３イ、３ロ）を取り付けて洗浄台の動きを軽くすると同時に、板の上面全体にやわらかい素材の洗浄台保護板（７）取り付け洗浄台とし、浴槽の内側に浴槽保護壁（３１イ、３１ロ）を張り、同面に浴槽内車輪誘導壁（２７イ、２７ロ）（２８イ、２８ロ）（２９イ、２９ロ）を張り付け壁と浴槽縁、上面に入浴台車輪固定位置（２５イ〜２５ニ）を設け入浴台下部に取り付ける車輪（１４イ〜１４ニ）の入れる場所とし
入浴台を浴槽上で支える部分として入浴台下部に取り付ける車輪（１４イ〜１４ニ）の部分を巾出しし、浴槽の縁上面に乗せるようにし、この入浴台に移動車輪のレール兼はずれ防止カバーを重ねて取り付け、
カバーの中には洗浄台移動車輪（６イ〜６ノ）が通る、洗浄台移動車輪のレール部分（１２イ〜１２ロ）を配置し、レール部分の両横を垂直に立ち上げ、先端部分を中央に向け折り曲げ、洗浄台はずれ防止部分（１１イ、１１ロ）として洗浄台をカバーの中に滑り込ませる形式であり
この入浴台を浴槽上で安定させ、浴槽内に台を下ろす際は、壁の溝に設けた入浴台車輪レール（２６イ〜２６ロ）に、入浴台下部に取り付ける車輪（１４イ〜１４ニ）が入って沿うように降りるため、台の滑り込みを防ぎ更に、車輪に沿って入浴台と垂直に取り付ける入浴台横転ねじれ防止板（１８イ、１８ロ）によって、台の傾きやねじれを防ぐことが出来、入浴台に移動車輪のレール兼はずれ防止カバーを取り付け、中に洗浄台を滑り込ませた状態で、椅子形式に角度をつけながら浴槽内に上下動できる構成のスライド式入浴装置。
【請求項２】
ローラースライド部分（２０）と入浴台背もたれ部分（１０ロ）が接触することで台の動きを軽くし、台の安定を図るのを特徴とする請求項１記載のスライド式入浴装置。
【請求項３】
入浴台を浴槽に上下動させる際、椅子形式に角度をつけるため、洗浄台椅子部分連結部で左右両端、角度調節一部カット（４イ、４ロ）部分を設けたのを特徴とする請求項１記載のスライド式入浴装置。